(57)【要約】【課題】内線電話機を携帯電話網に接続するためのコストが低く、かつ利便性に優れた電話システムを実現することを目的とする。【解決手段】配下にＩＰ電話機２０Ａ〜２０Ｅを持つＳＩＰサーバ１０に、アクセスポイントを設け、アクセスポイントと中継用デュアル携帯電話機（以下、中継端末という）３０Ａ〜３０Ｃを無線接続する。中継端末３０Ａ〜３０Ｃは、携帯電話網に対して通信する携帯電話通信部、アクセスポイントに対して通信するＷＬＡＮ通信機能部とを備え、中継モードでこれら携帯電話通信部、ＷＬＡＮ通信機能部が動作しているときに、ＩＰ電話機２０Ａ〜２０ＥがＳＩＰサーバ１０及び中継端末３０Ａ〜３０Ｃを介して携帯電話網に接続される。【選択図】図１
2010041147.tif 000002
【特許請求の範囲】
【請求項１】
携帯電話網に対して通信する携帯電話通信手段と、
アクセスポイントに対して無線接続して通信するアクセスポイント通信手段とを備え、
前記アクセスポイントを介して通信を行う機器と前記携帯電話網との間の中継通信を可能とする中継モードを有し、
前記中継通信中は、前記携帯電話通信手段が前記携帯電話網から受信する情報を、前記アクセスポイント通信手段を介して前記アクセスポイントに送信し、該アクセスポイント通信手段が該アクセスポイントから受信する前記携帯電話網宛の情報を、該携帯電話通信手段を介して該携帯電話網に送信するように構成したことを特徴とする端末。
【請求項２】
前記中継モードは、所定のアクセスポイントに対して前記アクセスポイント通信手段が通信可能な位置にあるときに設定されることを特徴とする請求項１に記載の端末。
【請求項３】
操作ボタンを備え、
前記中継通信中においては、前記操作ボタンに対する操作を無効とすることを特徴とする請求項１又は２に記載の端末。
【請求項４】
前記中継通信は、前記中継モードにおいて、前記アクセスポイント通信手段が前記アクセスポイントから前記携帯電話網に対する呼制御要求信号を受信するか、或は前記携帯電話通信手段が前記携帯電話網から当該端末に対する呼制御要求信号を受信することによって開始されることを特徴とする請求項１乃至３のいずれか１項に記載の端末。
【請求項５】
前記アクセスポイント通信手段は、前記アクセスポイントを介してＩＰ電話網に対して通信するＩＰ電話通信手段であることを特徴とする請求項１乃至４のいずれか１項に記載の端末。
【請求項６】
無線接続用のアクセスポイントと、配下の電話機を呼制御する制御手段とを備えるサーバであって、
前記アクセスポイントに対して無線接続して通信するアクセスポイント通信手段及び携帯電話網に対して通信する携帯電話通信手段を備える端末とは、前記アクセスポイントで無線接続され、
前記端末の前記携帯電話通信手段で受信され、当該端末の前記アクセスポイント通信手段から送信された情報を前記アクセスポイントで受信して、前記電話機に送信し、
前記電話機から前記携帯電話網宛の情報を受信し、前記アクセスポイントを介して前記端末の前記アクセスポイント通信手段に送信し、当該端末の前記携帯電話通信手段から該情報を前記携帯電話網に送信させる構成にした、
ことを特徴とするサーバ。
【請求項７】
前記アクセスポイントと通信可能な位置にある前記端末を識別して管理する管理手段を備えることを特徴とする請求項６に記載のサーバ。
【請求項８】
携帯電話網に対して通信する携帯電話通信手段とアクセスポイントに対して無線接続して通信するアクセスポイント通信手段とを備え、前記アクセスポイントを介して通信を行う機器と前記携帯電話網との間の中継通信を可能とする中継モードを有し、前記中継通信中は、前記携帯電話通信手段が前記携帯電話網から受信する情報を、前記アクセスポイント通信手段を介して前記アクセスポイントに送信し、該アクセスポイント通信手段が該アクセスポイントから受信する前記携帯電話網宛の情報を、該携帯電話通信手段を介して該携帯電話網に送信する端末と、
無線接続用のアクセスポイント及び配下の電話機を呼制御する制御手段を備え、前記端末とは該アクセスポイントで無線接続され、該端末の前記携帯電話通信手段で受信され、当該端末の前記アクセスポイント通信手段から送信された情報を該アクセスポイントで受信して、前記電話機に送信し、前記電話機から受信した前記携帯電話網宛の情報を、前記アクセスポイントを介して前記端末の前記アクセスポイント通信手段に送信し、当該端末の前記携帯電話通信手段から該情報を前記携帯電話網に送信させるサーバと、
を備えることを特徴とする電話システム。
【請求項９】
前記中継モードは、前記アクセスポイントに対して前記アクセスポイント通信手段が通信可能な位置にあるときに設定されることを特徴とする請求項８に記載の電話システム。
【請求項１０】
前記端末は、操作ボタンを備え、前記中継通信中においては、前記操作ボタンに対する操作を無効とすることを特徴とする請求項８又は９に記載の電話システム。
【請求項１１】
携帯電話網に対して通信する携帯電話通信手段とアクセスポイントに対して無線接続して通信するアクセスポイント通信手段とを備え、前記アクセスポイントを介して通信を行う機器と前記携帯電話網との間の中継通信を可能とする中継モードを有し、前記中継通信中は、前記携帯電話通信手段が前記携帯電話網から受信する情報を、前記アクセスポイント通信手段を介して前記アクセスポイントに送信し、該アクセスポイント通信手段が該アクセスポイントから受信する前記携帯電話網宛の情報を、該携帯電話通信手段を介して該携帯電話網に送信する端末を、無線接続用のアクセスポイント及び配下の電話機を呼制御する制御手段を備えるサーバの該アクセスポイントに無線接続し、
前記端末の前記携帯電話通信手段で受信され、当該端末の前記アクセスポイント通信手段から送信された情報を前記サーバの前記アクセスポイントで受信して、前記電話機に送信し、
前記サーバで前記電話機から受信した前記携帯電話網宛の情報を、該サーバの前記アクセスポイントを介して前記端末の前記アクセスポイント通信手段に送信し、該端末の前記携帯電話通信手段から該情報を前記携帯電話網に送信させる、
ことを特徴とする中継通信方法。
【発明の詳細な説明】
【技術分野】
【０００１】
本発明は、端末、サーバ、電話システム及び中継通信方法に関する。
【背景技術】
【０００２】
携帯電話の普及に伴い、従来より、ＰＢＸ（Private Branch Exchange)に携帯電話機を組込むシステムが提案されている。
例えば下記特許文献１では、ＰＢＸに接続された接続装置を介して、ＰＢＸと携帯電話機とを接続し、携帯電話機が着信すると、ＰＢＸ配下の内線電話機に着信させ、ＰＢＸ配下の複数の内線の内線電話から所望の携帯電話機を介して携帯電話網に接続するシステムを提案している。
【特許文献１】特開２００３−３４８６２８号公報
【発明の開示】
【発明が解決しようとする課題】
【０００３】
前述の特許文献１では、接続装置が無いと、ＰＢＸ配下の内線電話を携帯電話網に接続できないとともに、接続装置に携帯電話機を接続するためのコネクタが必要となる。即ち、ＰＢＸに携帯電話機を組込むためには、無視できないコストがかかる。また、携帯電話機を接続装置に接続する手間がかかり、利便性も悪いという問題があった。
近年では、携帯電話通信網を利用する携帯電話機能と、ＷＬＡＮ（Wireless LAN）等の無線ＬＡＮを利用するローカル無線通信機能とを持つデュアル携帯電話が普及しつつある。このようなデュアル携帯電話機を上述したシステムに組込むことが望まれている。
【０００４】
本発明は、ＰＢＸに低コストで利便性がよく組込むことができる端末、この端末が組込まれるサーバ、当該端末とサーバとからなる電話システム、当該デュアル端末とサーバを利用する中継通信方法を実現することを目的とする。
【課題を解決するための手段】
【０００５】
上記目的を達成するために、本発明の第１の観点に係る端末は、
携帯電話網に対して通信する携帯電話通信手段と、
アクセスポイントに対して無線接続して通信するアクセスポイント通信手段とを備え、
前記アクセスポイントを介して通信を行う機器と前記携帯電話網との間の中継通信を可能とする中継モードを有し、
前記中継通信中は、前記携帯電話通信手段が前記携帯電話網から受信する情報を、前記アクセスポイント通信手段を介して前記アクセスポイントに送信し、該アクセスポイント通信手段が該アクセスポイントから受信する前記携帯電話網宛の情報を、該携帯電話通信手段を介して該携帯電話網に送信するように構成したことを特徴とする。
【０００６】
尚、前記中継モードは、所定のアクセスポイントに対して前記アクセスポイント通信手段が通信可能な位置にあるときに設定されてもよい。
【０００７】
また、操作ボタンを備え、前記中継通信中においては、前記操作ボタンに対する操作を無効としてもよい。
【０００８】
また、前記中継通信は、前記中継モードにおいて、前記アクセスポイント通信手段が前記アクセスポイントから前記携帯電話網に対する呼制御要求信号を受信するか、或は前記携帯電話通信手段が前記携帯電話網から当該端末に対する呼制御要求信号を受信することによって開始されてもよい。
【０００９】
また、前記アクセスポイント通信手段は、前記アクセスポイントを介してＩＰ電話網に対して通信するＩＰ電話通信手段であってもよい。
【００１０】
上記目的を達成するために、本発明の第２の観点に係るサーバは、
無線接続用のアクセスポイントと、配下の電話機を呼制御する制御手段とを備えるサーバであって、
前記アクセスポイントに対して無線接続して通信するアクセスポイント通信手段及び携帯電話網に対して通信する携帯電話通信手段を備える端末とは、前記アクセスポイントで無線接続され、
前記端末の前記携帯電話通信手段で受信され、当該端末の前記アクセスポイント通信手段から送信された情報を前記アクセスポイントで受信して、前記電話機に送信し、
前記電話機から前記携帯電話網宛の情報を受信し、前記アクセスポイントを介して前記端末の前記アクセスポイント通信手段に送信し、当該端末の前記携帯電話通信手段から該情報を前記携帯電話網に送信させる構成にしたことを特徴とする。
【００１１】
尚、前記アクセスポイントと通信可能な位置にある前記端末を識別して管理する管理手段を備えてもよい。
【００１２】
上記目的を達成するために、本発明の第３の観点に係る電話システムは、
携帯電話網に対して通信する携帯電話通信手段とアクセスポイントに対して無線接続して通信するアクセスポイント通信手段とを備え、前記アクセスポイントを介して通信を行う機器と前記携帯電話網との間の中継通信を可能とする中継モードを有し、前記中継通信中は、前記携帯電話通信手段が前記携帯電話網から受信する情報を、前記アクセスポイント通信手段を介して前記アクセスポイントに送信し、該アクセスポイント通信手段が該アクセスポイントから受信する携帯電話網宛の情報を、該携帯電話通信手段を介して該携帯電話網に送信する端末と、
無線接続用のアクセスポイント及び配下の電話機を呼制御する制御手段を備え、前記端末とは該アクセスポイントで無線接続され、該端末の前記携帯電話通信手段で受信され、当該端末のアクセスポイント通信手段から送信された情報を該アクセスポイントで受信して、前記電話機に送信し、前記電話機から受信した前記携帯電話網宛の情報を、前記アクセスポイントを介して前記端末の前記アクセスポイント通信手段に送信し、当該端末の前記携帯電話通信手段から該情報を前記携帯電話網に送信させるサーバと、を備えることを特徴とする。
【００１３】
尚、前記中継モードは、前記アクセスポイントに対して前記アクセスポイント通信手段が通信可能な位置にあるときに設定されてもよい。
【００１４】
また、前記端末は、操作ボタンを備え、前記中継通信中においては、前記操作ボタンに対する操作を無効としてもよい。
【００１５】
上記目的を達成するために、本発明の第４の観点に係る中継通信方法は、
携帯電話網に対して通信する携帯電話通信手段とアクセスポイントに対して無線接続して通信するアクセスポイント通信手段とを備え、前記アクセスポイントを介して通信を行う機器と前記携帯電話網との間の中継通信を可能とする中継モードを有し、前記中継通信中は、前記携帯電話通信手段が前記携帯電話網から受信する情報を、前記アクセスポイント通信手段を介して前記アクセスポイントに送信し、該アクセスポイント通信手段が該アクセスポイントから受信する携帯電話網宛の情報を、該携帯電話通信手段を介して該携帯電話網に送信する端末を、無線接続用のアクセスポイント及び配下の電話機を呼制御する制御手段を備えるサーバの該アクセスポイントに無線接続し、
前記端末の前記携帯電話通信手段で受信され、当該端末のアクセスポイント通信手段から送信された情報を前記サーバの前記アクセスポイントで受信して、前記電話機に送信し、
前記サーバで前記電話機から受信した前記携帯電話網宛の情報を、該サーバの前記アクセスポイントを介して前記端末の前記アクセスポイント通信手段に送信し、該端末の前記携帯電話通信手段から該情報を前記携帯電話網に送信させる、ことを特徴とする。
【発明の効果】
【００１６】
本発明によれば、ＰＢＸに低コストで利便性がよく組込むことができる端末、この端末が組込まれるサーバ、当該端末とサーバとからなる電話システム、当該端末とサーバを利用する中継通信方法を実現することができる。
【発明を実施するための最良の形態】
【００１７】
以下、図面に基づき、本発明の実施の形態について詳細に説明する。
図１は、本発明の実施形態に係る電話システムを示す構成図である。
【００１８】
この電話システムは、交換機としてのＳＩＰサーバ１０と、ＳＩＰサーバ１０に無線ＬＡＮで接続されるシステムに所属する複数の中継用デュアル携帯電話機３０Ａ，３０Ｂ，３０Ｃを備えている。ＳＩＰサーバ１０には、１以上のＩＰ電話機（ＩＰ−ＴＥＬ）２０Ａ，２０Ｂ，２０Ｃ，２０Ｄ，２０Ｅが接続されている。以下、中継用デュアル携帯電話機３０Ａ〜３０Ｃを中継端末３０Ａ〜３０Ｃと呼ぶ。
【００１９】
本電話システムでは、ＩＰ電話機２０Ａ〜２０Ｅから携帯電話網上の発信先の電話機の電話番号を入力すると、ＳＩＰサーバ１０は中継端末３０Ａ〜３０Ｃのいずれか１台を選択して起動させ、選択した中継端末３０Ａ〜３０ＣにＩＰ電話機２０Ａ〜２０Ｅから入力された電話番号を送信する。そして、その選択された中継端末３０Ａ〜３０Ｃは、与えられた電話番号の呼び出しを行う。呼び出しに対して相手の電話機が応答すると、発信元のＩＰ電話機２０Ａ〜２０Ｅは、選択した中継端末３０Ａ〜３０Ｃを中継機として相手先の電話機と通話可能となる。
【００２０】
本電話システムでは、各中継端末３０Ａ〜３０Ｃに付与されている携帯電話通信網用の電話番号が、システム外からＩＰ電話機２０Ａ〜２０Ｅを呼び出すための電話番号となる。
システム外の電話機から携帯電話通信網を介して中継端末３０Ａ〜３０Ｃの電話番号を発呼すると、その電話番号を持つ中継端末３０Ａ〜３０Ｃが着信する。そして、着信があった旨がＳＩＰサーバ１０に伝わり、ＳＩＰサーバ１０は、着信のあった中継端末３０Ａ〜３０Ｃに対応するＩＰ電話機２０Ａ〜２０Ｅを選択して呼び出す。
その選択されたＩＰ電話機２０Ａ〜２０Ｅが応答すると、電話番号を発呼したシステム外の電話機は、電話番号で指定した中継端末３０Ａ〜３０Ｃを中継機としてそれに対応するＩＰ電話機２０Ａ〜２０Ｅと通話可能になる。
【００２１】
図２は、図１中のＳＩＰサーバ１０を示す構成図である。
ＳＩＰサーバ１０は、ＩＰ電話機２０Ａ〜２０Ｅを配下として管理し、これらのＩＰ電話機２０Ａ〜２０Ｅの呼制御等を行う。ＳＩＰサーバ１０には、ＣＰＵ１１と、ＣＰＵ１１に接続され、データテーブル等を記憶するメモリ１２と、音声信号の変換を行う音声処理回路１３と、中継端末３０Ａ〜３０Ｃと無線接続するアクセスポイント１４と、アンテナ１５と、ＬＡＮコネクタ１６とを備えている。アクセスポイント１４は、アンテナ１５を介して中継端末３０Ａ〜３０Ｃに無線接続される。ＬＡＮコネクタ１６を介して、ＣＰＵ１１及び音声処理回路１３がＩＰ電話機２０Ａ〜２０Ｅに接続される。
【００２２】
データテーブルは、管理下の中継端末３０Ａ〜３０Ｃ及び配下のＩＰ電話機２０Ａ〜２０ＥのＬＡＮ用電話番号、各中継端末３０Ａ〜３０Ｃに対応するＩＰ電話機２０Ａ〜２０Ｅの情報、中継端末３０Ａ〜３０Ｃを選択して中継機として用いる場合の順位に関する情報、及び中継端末３０Ａ〜３０ＣのうちのＳＩＰサーバ１０と通信可能範囲にある電話機の情報等を記憶する。
【００２３】
図３は、図１中の中継端末３０Ａ〜３０Ｃの概要を示す構成図である。
各中継端末３０Ａ〜３０Ｃは、図示しない携帯電話通信網を利用する携帯電話通信手段としての携帯電話通信部３１と、ＩＰ電話通信網のＬＡＮを利用するアクセスポイント通信手段としてのＷＬＡＮ通信機能部３２と、これら携帯電話通信部３１及びＷＬＡＮ通信機能部３２を制御する制御部３３と、携帯電話通信部３１及びＷＬＡＮ通信機能部３２に接続されたアンテナ３４と、図示しない操作ボタン等を備えている。
【００２４】
各中継端末３０Ａ〜３０Ｃは、それぞれ携帯電話網用の電話番号とＬＡＮ用の電話番号とが付与されており、ＬＡＮのエリア内では、ＷＬＡＮ通信機能部３２が作動し、ＬＡＮ用の電話番号で呼制御されるＩＰ電話として動作し、ＬＡＮのエリア外では、携帯電話通信部３１が作動して、携帯電話網用の電話番号で呼制御される携帯電話機として動作する。
【００２５】
各中継端末３０Ａ〜３０Ｃは、携帯電話通信部３１またはＷＬＡＮ通信機能部３２が動作する通常動作モードと、携帯電話通信部３１及びＷＬＡＮ通信機能部３２の両方が連動して動作可能な中継モードとを有する。
【００２６】
システムに所属する各中継端末３０Ａ〜３０Cには、ＳＩＰサーバ１０に設けられたアクセスポイント１４に付与された識別子（ＩＤ）が記憶されている。  中継端末３０Ａ〜３０Ｃは、周辺に存在するアクセスポイントから一定周期で信される信号をＷＬＡＮ通信機能部３２で受信し、その信号に含まれるアクセスポイントのＩＤを抽出する。抽出したＩＤが記憶しているＩＤと一致すると、中継端末３０Ａ〜３０Cは、通常動作モードから中継モードに切り替わる。
中継モードになると、各中継端末３０Ａ〜３０Ｃは、中継機としての役割を果たす。
【００２７】
尚、中継端末３０Ａ〜３０Ｃを充電器に装着すると、中継モードに切り替わるようにしてもよい。この場合、ＳＩＰサーバ１０と無線ＬＡＮ接続可能な範囲内に充電器を配置しておけば、その充電器に中継端末３０Ａ〜３０Ｃを装着することで、中継端末３０Ａ〜３０Ｃを中継モードにすることができる。
【００２８】
また、中継端末３０Ａ〜３０Ｃに設けたスイッチによって、中継モードと通常動作モードを切替える構成にしてもよい。
ＳＩＰサーバ１０は、例えば中継モードが選択されている中継端末３０Ａ〜３０Ｃに制御信号を送信し、当該携帯電話機を起動させて所定の電話番号に呼び出しを行わせる。
【００２９】
次に、図１の電話システムの動作を説明する。
中継端末３０Ａ〜３０Ｃは、それぞれ携行可能であるから、ＳＩＰサーバ１０の設置してある社内から社外に持ち出すことができる。
この際、中継端末３０Ａ〜３０Ｃが、アクセスポイント１４の通信可能範囲外に到達すると、中継端末３０Ａ〜３０ＣのＷＬＡＮ通信機能部３２は、アクセスポイント１４に付与されているＩＤを識別できないから、中継モードが通常動作モードに切り替わる。
【００３０】
中継端末３０Ａ〜３０Ｃを、社内の所定の場所、つまりＳＩＰサーバ１０のアクセスポイント１４と中継端末３０Ａ〜３０ＣのＷＬＡＮ通信機能部３２とが無線ＬＡＮ通信可能となる場所に置くと、中継端末３０Ａ〜３０Ｃが中継モードとなる。
【００３１】
ＳＩＰサーバ１０は、データテーブルに、システムに所属する中継端末３０Ａ〜３０Ｃのうちのアクセスポイント１４を介して通信可能範囲にある端末の情報を更新しつつ記録している。例えば中継端末３０Ａが、アクセスポイント１４を介してＳＩＰサーバ１０と通信可能な範囲に入ると、ＳＩＰサーバ１０は、中継端末３０Ａが通信可能範囲にあることを示す情報をデータテーブルに記録し、中継端末３０Ａが通信可能な範囲から外れると、中継端末３０Ａが通信可能範囲にあることを示す情報を抹消する。
【００３２】
ここでは、中継端末３０Ａ〜３０Ｃがいずれも中継モードであるものとし、最初にＩＰ電話機側から発信する場合を説明する。
【００３３】
ＳＩＰサーバ１０は、例えばＩＰ電話２０Ａから相手先の電話機の電話番号がダイヤルされると、中継端末３０Ａ〜３０Ｃのうちの例えば中継端末３０Ａを選択して情報を送信する。中継端末３０Ａの選択は、ＣＰＵ１１がメモリ１２に記録されているデータテーブルに基づいて行う。
【００３４】
ＳＩＰサーバ１０から中継端末３０Ａに送信される情報には、中継端末の識別子及びＩＰ電話機２０Ａから入力された接続先の電話番号情報が含まれる。
ＩＰ電話機２０Ａから入力された接続先の電話番号がシステム外の電話機の電話番号である場合、ＳＩＰサーバ１０から中継端末３０Ａに送信される情報には、さらに、携帯電話網への呼制御要求信号等の制御信号が含まれる。
【００３５】
ＳＩＰサーバ１０から携帯電話網への呼制御要求信号及び電話番号情報が送信されると、中継端末３０ＡはＷＬＡＮ通信機能部３２で電話番号情報を受信し、その電話番号情報が中継端末３０Ａ自身を指す場合は、中継端末３０Ａを鳴動させる。これにより、中継端末３０ＡとＩＰ電話機２０Ａとはアクセスポイント１４を介して通話可能になる。
【００３６】
受信した電話番号情報がシステム外の電話機を指す場合に、中継端末３０Ａは、呼制御要求信号を受信することにより、中継通信を開始する。この場合、ＳＩＰサーバ１０からの制御信号により、中継端末３０Ａは、携帯電話通信部３１を起動して、アンテナ３４及び基地局を介して携帯電話網に呼制御要求信号及び電話番号情報を送信し、相手先の電話機を呼び出す。相手先の電話機が応答すると、ＩＰ電話機２０Ａは、中継端末３０Ａ及びＳＩＰサーバ１０のアクセスポイント１４を介して相手先の電話機と通話可能になる。
【００３７】
この通話中、相手先の電話機からの信号は、中継端末３０Ａの携帯電話通信部３１で受信され、ＷＬＡＮ通信機能部３２からＳＩＰサーバ１０に送信され、ＳＩＰサーバ１０は受信した信号をＩＰ電話機２０Ａに送出する。逆にＩＰ電話機２０Ａからの信号は、ＳＩＰサーバ１０に送信され、ＳＩＰサーバ１０は受信した信号をアクセスポイント１４を介して中継端末３０Ａに送信する。中継端末３０Ａは、ＳＩＰサーバ１０の送信した信号をＷＬＡＮ通信機能部３２で受信し、携帯電話通信部３１から携帯電話網を介して相手先の電話機に送信する。
【００３８】
中継端末３０Ａは、中継モードであると共に、携帯電話網からの情報を携帯電話通信部３１で受信して、その情報をＷＬＡＮ通信機能部３２がアクセスポイント１４に送信し、アクセスポイント１４からの情報をＷＬＡＮ通信機能部３２で受信し、その情報を携帯電話通信部３１が携帯電話網に送信している状態であれば、中継通信中であると判断し、中継通信が終了するまで操作ボタンの操作を無効にする。こうすることで、中継通信中に誤って操作ボタンが押下された場合でも、中継通信が妨げられることはない。
【００３９】
次に、携帯電話網を介してシステム外の電話機から中継端末に着信があった場合の動作を説明する。
例えば中継端末３０Ａがシステム外の電話機からの呼び出しを受けると、中継端末３０Ａの携帯電話通信部３１が呼び出し信号及び当該中継端末３０Ａに対する呼制御要求信号を受信する。
【００４０】
携帯電話通信部３１が呼制御要求信号及び呼び出し信号を受信した中継端末３０Ａは、鳴動すると共に、中継通信を開始し、ＷＬＡＮ通信機能部３２で呼び出し信号を受信して、ＷＬＡＮ通信機能部３２からアクセスポイント１４を介してＳＩＰサーバ１０に、着信のあった旨を通知する。これに応答してＳＩＰサーバ１０のＣＰＵ１１は、メモリ１２に記憶されているデータテーブルに基づき、例えばＩＰ電話機２０Ａを選択して呼び出す。ＩＰ電話機２０Ａが応答すると、ＩＰ電話機２０Ａと発信元のシステム外の電話機とが、中継端末３０Ａ及びＳＩＰサーバ１０のアクセスポイント１４を介して通話可能になる。中継端末３０Ａで応答することもできる。中継端末３０Ａで応答した場合、中継通信が終了し、中継端末３０Ａと発信元のシステム外の電話機とが通話可能になる。中継端末３０Ａで応答した場合、中継端末３０Ａは応答したことをＳＩＰサーバ１０に通知し、ＳＩＰサーバ１０は、ＩＰ電話機２０Ａの呼び出しを中止する。
【００４１】
発信元のシステム外の電話機とＩＰ電話機２０Ａとの通話中、発信元のシステム外の電話機からの信号は、中継端末３０Ａの携帯電話通信部３１で受信され、ＷＬＡＮ通信機能部３２からアクセスポイント１４を介してＳＩＰサーバ１０に送信され、ＳＩＰサーバ１０は受信した信号をＩＰ電話機２０Ａに送出する。逆にＩＰ電話機２０Ａからの信号は、ＳＩＰサーバ１０に送信され、ＳＩＰサーバ１０は受信した信号をアクセスポイント１４を介して中継端末３０Ａの携帯電話通信部３１に送信する。中継端末３０Ａは、ＳＩＰサーバ１０の送信した信号をＷＬＡＮ通信機能部３２で受信し、携帯電話通信部３１から携帯電話網を介してシステム外の電話機に送信する。
【００４２】
このように、システム外の電話機から中継端末３０Ａに着信があって、中継端末３０Ａがシステム外の電話機とＳＩＰサーバ１０の配下のＩＰ電話機２０Ａとの間の通信を中継する場合も、中継端末３０Ａは、中継モードであると共に、携帯電話網からの情報を携帯電話通信部３１で受信して、その情報をＷＬＡＮ通信機能部３２がアクセスポイント１４に送信し、アクセスポイント１４からの情報をＷＬＡＮ通信機能部３２で受信し、その情報を携帯電話通信部３１が携帯電話網に送信している状態であれば、中継通信中であると判断し、中継通信が終了するまで操作ボタンの操作を無効にする。こうすることで、中継通信中に誤って操作ボタンが押下された場合でも、中継通信が妨げられることはない。
【００４３】
一方、システム外の電話機からの呼び出しに対し、中継端末３０Ａを用いて応答した場合、発信元のシステム外の電話機と中継端末３０Ａとは、中継端末３０Ａの携帯電話通信部３１によって接続される。このときには、操作ボタンの操作は無効にならない。
【００４４】
以上のように、本実施形態の電話システムは、次のような利点を有する。
（１）交換機となるＳＩＰサーバ１０と中継端末３０Ａ〜３０Ｃとが無線ＬＡＮで接続されているので、接続のための装置やコネクタが不要で低コストで実現できる。
【００４５】
（２）中継端末３０Ａ〜３０Ｃは、ＳＩＰサーバ１０のアクセスポイント１４の通信範囲外にあるときは、携帯電話機として機能し、通信範囲内にあるときに中継機としての役割を果たすので、システムへの組み込みが簡単であり、利便性に優れている。
【００４６】
（３）ＩＰ電話機２０Ａ〜２０Ｅの配置されている事務所内等では、中継端末３０Ａ〜３０Ｃの着信をＩＰ電話機２０Ａ〜２０Ｅに転送させることができるので、ＩＰ電話機２０Ａ〜２０Ｅの持つ例えば保留機能や転送機能を利用することも可能である。
【００４７】
（４）アクセスポイント１４を複数の中継端末３０Ａ〜３０Ｃが共用できるのでコスト効率が高い。また、多数の中継端末３０Ａ〜３０Ｃを中継機として用いることができる。
【００４８】
（５）ＳＩＰサーバ１０のソフトウエアを更新することにより、利便性を高める機能の追加が可能である。
【００４９】
尚、本発明は上記実施形態に限定されず、種々の変形が可能である。
例えば、ＳＩＰサーバ１０と中継端末３０Ａ〜３０Ｃとの間は、無線ＬＡＮ接続以外で接続してもよく、例えばBluetooth等で接続してもよい。
【図面の簡単な説明】
【００５０】
【図１】本発明の実施形態に係る電話システムを示す構成図である。
【図２】図１中のＳＩＰサーバを示す構成図である。
【図３】図１中の中継端末の概要を示す構成図である。
【符号の説明】
【００５１】
１０      ＳＩＰサーバ
１１      ＣＰＵ
１２      メモリ
１３      音声処理回路
１４      アクセスポイント
１５      アンテナ
２０Ａ〜２０Ｅ      ＩＰ電話機
３０Ａ〜３０Ｃ      中継用デュアル携帯電話機
３１      携帯電話通信部
３２      ＷＬＡＮ通信機能部
３３      制御部
５２      アンテナ
【図１】
2010041147.tif 000003
【図２】
2010041147.tif 000004
【図３】
2010041147.tif 000005